(57)【要約】【課題】張材の設けられた縁材が保持部材に確実に取り付けられるとともに、保持部材から外れにくい張材の張設構造及び椅子を提供する。【解決手段】張材の張設構造は、荷重を受ける張材７１と、張材７１の縁部に設けられた縁材６１と、縁材６１を保持する保持部材４０と、を備え、保持部材４０は、縁材６１が挿入された挿入溝部５５と、挿入溝部５５に形成され、縁材６１を係合する係合部４７と、を有し、縁材６１は、張材７１の縁部に連結された基部６２と、基部６２から挿入溝部５５が開口する方向と交差する一方向に突出する突出部６６と、基部６２における突出部６６が突出する面６２ｂと反対側の面６２ｕにおいて、突出部６６と反対側の位置に、一方向に凹むように形成された凹部６３と、を有することを特徴とする。【選択図】図６
2018153485.tif 000002
【特許請求の範囲】
【請求項１】
荷重を受ける張材と、
該張材の縁部に設けられた縁材と、
該縁材を保持する保持部材と、を備え、
該保持部材は、
前記縁材が挿入された挿入溝部と、
該挿入溝部に形成され、前記縁材を係合する係合部と、を有し、
前記縁材は、
前記張材の縁部に連結された基部と、
該基部から前記挿入溝部が開口する方向と交差する一方向に突出する突出部と、
前記基部における前記突出部が突出する面と反対側の面において、前記突出部と反対側の位置に、前記一方向に凹むように形成された凹部と、を有することを特徴とする張材の張設構造。
【請求項２】
前記凹部は、前記突出部と反対側の位置に向かうにしたがって漸次深さが深くなるように形成されていることを特徴とする請求項１に記載の張材の張設構造。
【請求項３】
前記縁材は、前記基部から一方向に突出し、前記突出部の基端を支持する補強部を有することを特徴とする請求項１または２に記載の張材の張設構造。
【請求項４】
前記補強部は、前記縁材の長手方向に連続するリブであることを特徴とする請求項３に記載の張材の張設構造。
【請求項５】
前記挿入溝部は、開口する入口側から該入口側と反対側の奥側に向かうにしたがって次第に溝幅が小さくなるように形成されていることを特徴とする請求項１または４に記載の張材の張設構造。
【請求項６】
請求項１〜５のいずれか一項に記載の張材の張設構造における保持部材を背フレームまたは座フレームとして備えることを特徴とする椅子。
【発明の詳細な説明】
【技術分野】
【０００１】
本発明は、張材の張設構造及び椅子に関するものである。
【背景技術】
【０００２】
従来から、椅子の背枠や座枠のような枠体に、メッシュ状等に形成された張材が張設された座体や背凭れが知られている。この張材の縁部は、枠体の外縁に外周方向に開口するように形成された溝部に挿入され取り付けられている。
【０００３】
例えば、特許文献１に記載のように、張材の縁部に設けられた係止プレートが、枠体の溝部に、溝部が開口する開口方向に対して斜めに挿入されて、溝部内の段部に係止されているものが提案されている。
【０００４】
また、張材の縁部に沿って環状の縁材が設けられ、縁材の端部に形成された突起が、枠体の溝部内に係止されたものも知られている。突起の周囲に切込みが形成されることで、突起が溝部内に係止される方向に弾性変形しやすい構成である。
【先行技術文献】
【特許文献】
【０００５】
【特許文献１】特許第５４８４８７３号公報
【発明の概要】
【発明が解決しようとする課題】
【０００６】
しかしながら、上記の特許文献１に記載の構成では、張材に作用する着座者からの荷重（テンション）が解除されると、張材の端部に設けられた係止プレートが溝部内で回転して、枠体等の保持部材の溝部から係止プレートが抜けてしまう可能性がある。
【０００７】
また、張材に設けられた縁部に突起が形成された構成では、突起の周囲に形成された切込みにより、縁材の他部位と突起との縁が切られている。このことによって、張材のテンションに由来する溝部からの脱落方向のモーメントが突起の付け根に集中的に作用する。突起の形成部位の幅は切込みによって狭くなっているので、脱落方向へのモーメントに抗しきれない。また、これに付随して、突起の付け根の破損が発生し、そのことによって縁材そのものが破損して縁材が脱落する可能性がある。このため、縁材の寸法を溝部の厚さと等しい程度の厚肉に設定することも考えられる。このことによって、突起の形成部位が初期位置に復帰しようとした場合でも、突起は段部に引っかかった状態が維持されるような寸法設定とすることも可能である。このような場合、張材を厚肉な縁材と一体化するための手段が限定されてしまう。
【０００８】
本発明は、上記事情に鑑みてなされたものであり、張材の設けられた縁材が保持部材に確実に取り付けられるとともに、保持部材から外れにくい張材の張設構造及び椅子を提供するものである。
【課題を解決するための手段】
【０００９】
上記目的を達成するために、本発明は以下の手段を採用している。
すなわち、本発明に係る張材の張設構造は、荷重を受ける張材と、該張材の縁部に設けられた縁材と、該縁材を保持する保持部材と、を備え、該保持部材は、前記縁材が挿入された挿入溝部と、該挿入溝部に形成され、前記縁材を係合する係合部と、を有し、前記縁材は、前記張材の縁部に連結された基部と、該基部から前記挿入溝部が開口する方向と交差する一方向に突出する突出部と、前記基部における前記突出部が突出する面と反対側の面において、前記突出部と反対側の位置に、前記一方向に凹むように形成された凹部と、を有することを特徴とする特徴とする。
【００１０】
このように構成された張材の張設構造では、張材の縁部に設けられた縁材は、挿入溝部に挿入される際には、突出部が挿入溝部の一方向側の壁部に当接する。そして、突出部は挿入溝部の一方向側の壁部から一方向と反対方向に力を受ける。基部における突出部が突出する面と反対側の面に、一方向に凹むように凹部が形成され、基部の厚みが薄くなっている。このため、突出部に作用する反対方向の力により、基部の凹部は反対方向に膨らむように弾性変形しつつ挿入される。そして、挿入溝部内に挿入が完了した状態では、縁材は元の形状に戻り、突出部が、挿入溝部に形成された係合部に係合され、張材の設けられた縁材は保持部材に確実に取り付けられる。
また、縁材が保持部材に取り付けられた状態で、縁材に挿入溝部の開口する方向に向かって力が作用しても、縁材の突出部の周囲等にはスリットが形成されておらず、突出部は挿入溝部から外れる方向に弾性変形しにくい。よって、縁材が保持部材の挿入溝部から外れることがない。
【００１１】
また、本発明に係る張材の張設構造では、前記凹部は、前記突出部と反対側の位置に向かうにしたがって漸次深さが深くなるように形成されていることが好ましい。
【００１２】
このように構成された張材の張設構造では、突出部は、凹部における一番深い位置の反対側に設けられているため、突出部が挿入溝部の一方向側の壁部に当接すれば、凹部は反対方向に大きく膨らむ。よって、縁材を挿入溝部に挿入する際に、大きな力を要せずに、よりスムーズに挿入することができる。また、凹部は漸次深さが深くなるように形成されているため、凹部が弾性変形する際に凹部に局所的に力が作用することが抑制される。
【００１３】
また、本発明に係る張材の張設構造では、前記縁材は、前記基部から一方向に突出し、前記突出部の基端を支持する補強部を有していてもよい。
【００１４】
このように構成された張材の張設構造では、縁材の基部には一方向に突出し突出部の基端を支持する補強部が設けられている。よって、突出部は補強部により補強されているため、突出部が保持部材の挿入溝部に挿入され弾性変形する際に、突出部が折れたり、損傷したりすることがない。
【００１５】
また、本発明に係る張材の張設構造では、前記補強部は、前記縁材の長手方向に連続するリブであってもよい。
【００１６】
このように構成された張材の張設構造では、突出部は、縁材の長手方向に連続するリブにより補強されている。よって、突出部が保持部材の挿入溝部に挿入され弾性変形する際に、突出部が折れたり、損傷したりすることより一層抑制されるとともに、補強部自体も折れたり、損傷したりすることがない。
【００１７】
また、本発明に係る張材の張設構造では、前記挿入溝部は、開口する入口側から該入口側と反対側の奥側に向かうにしたがって次第に溝幅が小さくなるように形成されていてもよい。
【００１８】
このように構成された張材の張設構造では、挿入溝部は入口側から奥側に向かうにしたがって次第に溝幅が小さくなるように形成されているため、縁材を挿入溝部内に挿入する際には、挿入溝部を形成する壁部に沿って縁材を挿入すれば、縁材が当該壁部と当接して、挿入とともに該壁部から徐々に力を受けて弾性変形しやすい。よって、大きな力を伴わずに容易に、縁材を挿入溝部に挿入することができる。
【００１９】
また、本発明に係る椅子は、上記のいずれか一に記載の張材の張設構造における保持部材を背フレームまたは座フレームとして備えることを特徴とする。
【００２０】
このように構成された椅子では、上記のいずれか一に記載の張材の張設構造における保持部材を背フレームまたは座フレームとして備えるため、張材の設けられた縁材が保持部材に確実に取り付けられるとともに、保持部材から外れにくい。
【発明の効果】
【００２１】
本発明に係る張材の張設構造及び椅子によれば、張材の設けられた縁材が保持部材に確実に取り付けられるとともに、保持部材から外れにくい。
【図面の簡単な説明】
【００２２】
【図１】本発明の一実施形態に係る椅子を側方から見た斜視図である。
【図２】本発明の一実施形態に係る椅子の座フレームを上方から見た斜視図である。
【図３】本発明の一実施形態に係る椅子の座縁材の平面図である。
【図４】本発明の一実施形態に係る椅子の座縁材の一部分を上方から見た斜視図である。
【図５】本発明の一実施形態に係る椅子の座縁材の一部分を下方から見た斜視図である。
【図６】本発明の一実施形態に係る椅子の座体における張材の張設構造を示す断面図である。
【図７】図６のＡ−Ａ線断面図である。
【図８】本発明の一実施形態に係る椅子において、座部張設部材を座フレームの取付溝に挿入する前の段階を示す断面図である。
【図９】図８のＢ−Ｂ線断面図である。
【図１０】本発明の一実施形態に係る椅子において、座部張設部材を座フレームの取付溝に挿入し始めた段階を示す断面図である。
【図１１】図１０のＣ−Ｃ線断面図である。
【図１２】本発明の一実施形態に係る椅子において、座部張設部材を座フレームの取付溝に挿入して、図１２に示す段階の次の段階を示す断面図である。
【図１３】本発明の一実施形態に係る椅子の背前枠を前方から見た斜視図である。
【図１４】本発明の一実施形態の変形例１に係る椅子の座縁材の一部分を上方から見た斜視図である。
【図１５】本発明の一実施形態の変形例２に係る椅子の座縁材の一部分を上方から見た斜視図である。
【図１６】本発明の一実施形態の変形例３に係る椅子の座縁材の一部分を上方から見た斜視図である。
【図１７】本発明の一実施形態の変形例４に係る椅子の座縁材の一部分を上方から見た斜視図である。
【発明を実施するための形態】
【００２３】
以下、本発明の一実施形態に係る椅子について、図面を参照して説明する。
図１は、本発明の一実施形態に係る椅子を側方から見た斜視図である。
図１に示すように、椅子１００は、床面Ｆの上に設置される脚部１と、脚部１の上部に設置されたボックス状の支基２と、支基２の上部に取り付けられた座受け部材３と、座受け部材３にスライド可能に支持され着座者が着座可能な座体４と、支基２から延び座体４に着座した着座者の背中を支持可能な背凭れ８と、を有している。
【００２４】
以下の説明において、便宜上、座体４に着座した着座者が前を向く方向を「前方」、その反対方向を「後方」と称する。また、椅子１００が設置される床面Ｆ側とその反対側を結ぶ方向を「上下方向」と称する。また、椅子１００の幅方向、つまり前後方向と直交する水平方向を「左右方向」と称する。また、図中において、前方を矢印ＦＲで示し、上方を矢印ＵＰで示し、左方を矢印ＬＨで示す。
【００２５】
脚部１は、キャスター１１ａ付きの多岐脚１１と、多岐脚１１の中央部より起立し昇降機構であるガススプリング（不図示）を内蔵する脚柱１２と、を有している。
【００２６】
脚柱１２の下部を構成する外筒１３は、多岐脚１１に回転不能に嵌合して支持されている。脚柱１２の上部を構成する内筒１４は、上端部に支基２を固定して支持するとともに、下部が外筒１３に水平方向で回転可能に支持されている。
【００２７】
支基２には、脚柱１２の昇降調整機構（不図示）と背凭れ８の傾動調整機構（不図示）が内蔵されている。
【００２８】
座受け部材３は、支基２の上部に取り付けられた４本のリンクアーム（不図示）と、リンクアームどうしを連結する左右一対の固定フレーム（不図示）と、を有している。
【００２９】
座体４は、座受け部材３に支持された座フレーム（保持部材）４０と、座フレーム４０に張設された座部張設部材６０と、を有している。座部張設部材６０の上面は、着座者の荷重を受ける座部荷重支持面７１ａとされている。
【００３０】
図２は、座フレーム４０を上方から見た斜視図である。
図２に示すように、座フレーム４０は、固定フレームに支持された座下枠４１と、座下枠４１の上面に固定された座上枠５０と、を有している。座下枠４１及び座上枠５０は、それぞれ環状に形成され、互いに一体に形成されている。
【００３１】
座下枠４１は、一対の固定フレームにそれぞれスライド可能に設けられた第一座補強杆４２と、第一座補強杆４２の両端部どうしを連結する第二座補強杆４３と、を有している。第一座補強杆４２と第二座補強杆４３とは、例えば樹脂等で一体として形成され、所定の強度を有している。第一座補強杆４２は、前後方向に沿って延びている。第二座補強杆４３は、左右方向に沿って延びている。
【００３２】
座上枠５０は、左右方向に離間して配置された一対の縦杆５１と、縦杆５１の両端部どうしを連結する横杆５２と、を有している。縦杆５１と横杆５２とは、例えば樹脂等で一体として形成され、座部張設部材６０（図１参照。以下同じ。）から作用する力に応じて弾性変形可能に構成されている。
【００３３】
縦杆５１は、前後方向に沿って延びている。横杆５２は、左右方向に沿って延びている。前側の横杆５２の内縁には、水平面に沿って板状に延びる補強板部５３が設けられている。補強板部５３の上面には、弾性を有するクッション体（不図示。以下同じ。）を載置可能とされている。
【００３４】
縦杆５１及び横杆８８の外縁には、内方（内縁側）に向かって凹む取付溝（挿入溝部）５５が形成されている。取付溝５５に、後述する座部張設部材６０（図１参照）の端部が挿入され係合されている。
【００３５】
図１に示すように、座部張設部材６０は、略環状に形成された座縁材（縁材）６１と、座縁材６１に張設された座張材（張材）７１と、を有している。
【００３６】
図３は、座縁材６１の平面図である。
図３に示すように、座縁材６１は、環状を半分にした半環状の部材６１ａが一対、僅かに間隔を有して配置されて構成されている。一対の半環状の部材６１ａは、互いに左右対称に形成されている。
【００３７】
図４は、座縁材６１の一部分を上方から見た斜視図である。図５は、座縁材６１の一部分を下方から見た斜視図である。
図４及び図５に示すように、座縁材６１は、座体４の外縁に沿って延在する平板部（基部）６２と、平板部６２の内縁側の端部から下方に屈曲したリブ（補強部）６４と、リブ６４に複数設けられた抜け止め突起（突出部）６６と、を有している。
【００３８】
図３に示すように、平板部６２の角部は曲線状に形成されるとともに、外縁部及び内縁部にそれぞれ切込み６２ａ，６２ｂが形成されている。外縁部の切込み６２ａは、内縁部の切込み６２ｂよりも大きい。
【００３９】
図６は、座体４における張材の張設構造を示す断面図である。図７は、図４のＡ−Ａ線断面図である。
図４及び図６に示すように、平板部６２は、略水平面に沿って配置された上面６２ｕを有している。上面（一方向と反対側の面）６２ｕには、複数箇所に下方（一方向）に凹む幅広凹部（凹部）６３が形成されている。
【００４０】
図３に示すように、幅広凹部６３は、平板部６２の上面６２ｕにおける抜け止め突起６６と反対側の位置に向かうにしたがって漸次深さが深くなるように形成されている。本実施形態では、幅広凹部６３は、左右それぞれ３箇所に形成されている。幅広凹部６３は、座縁材６１の延在方向を凹部幅方向として、凹部幅方向の中央に配置される中央傾斜面６３ａ及び中央傾斜面６３ａの両側方に配置される側方傾斜面６３ｂで形成されている。
【００４１】
図４に示すように、中央傾斜面６３ａは、平板部６２の外縁側から内縁側に向かうにしたがって次第に下方に傾斜している。中央傾斜面６３ａの外縁側の端部は、平板部６２の上面６２ｕに連続している。
【００４２】
側方傾斜面６３ｂは、外縁側から内縁側に向かうにしたがって次第に下方に傾斜するとともに、中央傾斜面６３ａ側に向かうにしたがって次第に下方に傾斜している。側方傾斜面６３ｂの外縁側の端部は、平板部６２の上面６２ｕに連続している。側方傾斜面６３ｂにおける凹部幅方向側方の端部は、平面部６２の上面６２ｕに連続している。
【００４３】
図４及び図５に示すように、リブ６４は、平板部６２の延在方向に（長手方向）連続して設けられている。本実施形態では、リブ６４は、図３に示す破線箇所に設けられている。
【００４４】
図４及び図５に示すように、抜け止め突起６６は、平板部６２の下面６２ｂにおいて、幅広凹部６３の一番深い位置と反対側の位置に設けられている。抜け止め突起６６は、平板部６２の（詳細には、中央傾斜面６３ａの）下面６２ｂから下方に延びる基端部（基端）６７と、基端部６７の下端から平板部６２の内縁側に折曲された突起部６８と、を有している。本実施形態では、抜け止め突起６６は、平板部６２に左右それぞれ３箇所ずつ設けられている。
【００４５】
基端部６７は、リブ６４の外面（平板部６２の外縁側の面）に沿って配置されている。突起部６８は、リブ６４の下面に沿って配置されている。基端部６７は、リブ６４により支持されている。突起部６８の先端面６８ｆは、リブ６４の内面（平板部６２の内縁側の面）６４ｆと同一平面上に配置されている。
【００４６】
図１に示すように、座張材７１は、縁部が座縁材６１の平板部６２（図６参照）に接着材の塗布や縫合等により接合されている。
【００４７】
次に、座体４における座張材７１の張設構造について説明する。
図６及び図７に示すように、座フレーム４０には、座縁材６１の抜け止め突起６６が配置される箇所において、上面から下方に向かって凹む下向き穴４６が形成されている。下向き穴４６は、取付溝５５と連通している。下向き穴４６の底部は、取付溝５５を形成する下面５５ｂよりも下方に配置されている。換言すると、下向き穴４６の下部は、取付溝５５の下面５５ｂよりも下方に凹む溝凹部（係合部）４７をなしている。
【００４８】
取付溝５５は、入り口５５ａ側（外縁側）の溝幅（上下方向に高さ）が、奥５５ｚ側（内縁側）の溝幅よりも短いテーパー形状をなしている。
【００４９】
座縁材６１に張設された座張材７１の端部近傍は、座フレーム４０の上面４０ａ及び側端面４０ｂに沿って配置され、取付溝５５内に係合する方向に巻き込まれいている。座フレーム４０の平板部６２の下面６２ｂに沿って座張材７１の端部が接合されている。
【００５０】
座縁材６１の抜け止め突起６６は、溝凹部４７内に係合されている。これにより、抜け止め突起６６は、溝凹部４７の開口方向への移動が規制される。また、座張材７１にテンションが作用した状態では、抜け止め突起６６は、図６に示す状態から、溝凹部４７を形成する一方の側壁４７ａに先端を近接させる方向（以下、テンション方向と称する）にわずかに回動する。換言すると、平板部６２の外縁側を取付溝５５側の上面５５ｕに近接させるようにわずかに回動する。テンションが解除されると、図６に示す状態、または図６に示す状態からテンション方向と反対方向に回動する。この際、最大限に回動した際には、平板部６２の上面６２ｕが取付溝５５の上面５５ｕに当接して回動が規制され、抜け止め突起６６が溝凹部４７、つまり取付溝５５から外れることがない。
【００５１】
次に、上記の座部張設部材６０を座フレーム４０に取り付ける動作を説明する。
図８は、座部張設部材６０を座フレーム４０の取付溝５５に挿入する前の段階を示す断面図である。図９は、図８のＢ−Ｂ線断面図である。図１０は、座部張設部材６０を座フレーム４０の取付溝５５に挿入し始めた段階を示す断面図である。図１１は、図１０のＣ−Ｃ線断面図である。図１２は、座部張設部材６０を座フレーム４０の取付溝５５に挿入して、図１２に示す段階の次の段階を示す断面図である。
図８及び図９に示すように、座縁材６１を取付溝５５に挿入する前には、座縁材６１は変形しておらず、平板部６２の上面６２ｕは略水平面に沿った状態である。
【００５２】
この状態から、座縁材６１の内縁側を座フレーム４０の取付溝５５内に挿入すると、座縁材６１の抜け止め突起６６の下面６６ｂが取付溝５５の下面５５ｂに接触する。座縁材６１を取付溝５５内にさらに挿入すると、図１０及び図１１に示すように、座縁材６１の抜け止め突起６６の下面６６ｂが取付溝５５の下面５５ｂに当接し、座縁材６１に内縁側に上向きに力が作用する。座縁材６１の幅広凹部６３の位置では、幅広凹部６３の深さ分座縁材６１の厚みが薄くなっていて、弾性変形しやすいため、幅広凹部６３が上方に変位し（膨らみ）、抜け止め突起６６が持ち上げられる。
【００５３】
側方傾斜面６３ｂにおける凹部幅方向側方の端部は、平面部６２の上面６２ｕに連続しているため、側方傾斜面が上面６２ｕに対して直角に形成されている場合等よりも、弾性変形しやすい。
【００５４】
また、中央傾斜面６３ａは溝凹部４７の長手方向（座縁材６１の延在方向に）に沿う長さを有するので、抜け止め突起６６の上方への弾性変位に連動して、中央傾斜面６３ａは上方に弾性変位しやすい。
【００５５】
取付溝５５は、入り口５５ａ側（外縁側）の溝幅（上下方向に高さ）が、奥５５ｚ側（内縁側）の溝幅よりも大きいテーパー形状をなしている。これにより、座縁材６１が取付溝５５の奥５５ｚ側に挿入されるにしたがって、座縁材６１の幅広凹部６３は上方に大きく変位するため、挿入しやすい。抜け止め突起６６の先端が取付溝５５の下面５５ｂに沿うとともに上端が取付溝５５の上面５５ｕに沿って移動する。
【００５６】
座縁材６１を取付溝５５内にさらに挿入すると、図１２に示すように、抜け止め突起６６の一部が下向き穴４６内に配置され、図６及び図７に示すように、抜け止め突起６６が下向き穴４６内に完全に配置されると、座縁材６１の幅広凹部６３は元の位置に戻るように弾性変形して、幅広凹部６３が下方に変位し、抜け止め突起６６が溝凹部４７内に嵌め込まれる。このようにして、座部張設部材６０を座フレーム４０に取り付けられる。
【００５７】
図１に示すように、背凭れ８は、支基２に連結された背フレーム（保持部材）８０と、背フレーム８０に張設された背部張設部材９０と、を有している。背部張設部材９０の前面は、着座者の荷重を受ける背部荷重支持面９６ｆとされている。
【００５８】
背フレーム８０は、支基２に連結され、背フレーム８０の強度を担う強度部材である背後枠８１と、背後枠８１の前方に設けられた背前枠８６と、を有している。
【００５９】
背後枠８１は、下辺部８２と、側辺部８３と、上辺部８４と、を有している。下辺部８２と側辺部８３と上辺部８４とは、例えばアルミ等の金属または所定の強度を有する樹脂等により一体に形成されている。
【００６０】
下辺部８２は、支基２内の傾動調整機構（不図示）に連結され、支基２の後部の左右両側から延びている。下辺部８２は、上方に向かうにしたがって次第に後方に向かって傾斜されている。また、各下辺部８２には、座体４の側方に配置される肘掛け８９が設けられている。
【００６１】
各下辺部８２の上端部には、側辺部８３が連続して形成されている。各側辺部８３は、上方に向かうにしたがって次第に左右方向の外側に向かって傾斜している。
【００６２】
側辺部８３の下部は、上方に向かうにしたがって次第に前方に向かって傾斜している。側辺部８３の上部は、上方に向かうにしたがって次第に後方に向かって傾斜している。各側辺部８３の上部どうしは、上辺部８４で連結されている。
【００６３】
図１３は、背前枠８６を前方から見た斜視図である。
図１３に示すように、背前枠８６は、左右方向に離間して配置された一対の縦杆８７と、縦杆８７の両端部どうしを連結する横杆８８と、を有している。縦杆８７と横杆８８とは、例えば樹脂等で一体として形成され、背部張設部材９０（図１参照。以下同じ。）から作用する力に応じて弾性変形可能に構成されている。
【００６４】
縦杆８７は、上下方向に沿って延びている。横杆８８は、左右方向に沿って延びている。縦杆８７の上部と下部には、それぞれ、後方に向かって延びる上部連結部８７ａ及び下部連結部８７ｂが一体に形成されている。上部連結部８７ａ及び下部連結部８７ｂの先端部は、背後枠８１の側辺部８３（図１参照）に連結されている。
【００６５】
縦杆８７及び横杆８８の外縁には、内方（内縁側）に向かって凹む取付溝５５が形成されている。取付溝５５に、後述する背部張設部材９０の端部が挿入され係合されている。
【００６６】
図１に示すように、背部張設部材９０は、略環状に形成された背縁材（縁材）９１と、背縁材９１に張設された背張材（張材）９６と、を有している。
【００６７】
背凭れ８において、座体４と同様に、背張材９６の張設構造が設けられている。
図６を参照して説明すると、背フレーム８０には、後方に凹む溝凹部４７が設けられている。背縁材９１は、平板部６２が前方に配置され、リブ６４及び抜け止め突起６６が後方に突出している。背フレーム８０の溝凹部４７に、背縁材９１の抜け止め突起６６が係合されている。背縁材９１に張設された背張材９６の端部近傍は、背フレーム８０の前面及び側端面に沿って配置され、取付溝５５に係合する方向に巻き込まれいている。
【００６８】
このように構成された椅子１００では、座縁材６１及び背縁材９１は、取付溝５５に挿入される際には、抜け止め突起６６が取付溝５５の面５５ｂに当接する。そして、抜け止め突起６６は取付溝５５の面５５ｂから力を受ける。平板部６２における面６２ｕに、面６２ｂ側に凹むように幅広凹部６３が形成され、平板部６２の厚みが薄くなっている。このため、抜け止め突起６６に作用する力により、平板部６２の幅広凹部６３は反対方向に膨らむように弾性変形しつつ挿入される。そして、取付溝５５内に挿入が完了した状態では、座縁材６１及び背縁材９１は元の形状に戻り、抜け止め突起６６が、取付溝５５の溝凹部４７に係合され、座張材７１及び背張材９６の設けられた座縁材６１及び背縁材９１は座フレーム４０及び背フレーム８０に確実に取り付けられる。
【００６９】
また、座縁材６１及び背縁材９１が座フレーム４０及び背フレーム８０に取り付けられた状態で、座縁材６１及び背縁材９１に取付溝５５の開口する方向に向かって力が作用しても、座縁材６１及び背縁材９１の抜け止め突起６６の周囲等にはスリットが形成されておらず、抜け止め突起６６が取付溝５５から外れる方向に弾性変形しにくい。よって、座縁材６１及び背縁材９１が座フレーム４０及び背フレーム８０の取付溝５５から外れることがない。
【００７０】
また、抜け止め突起６６は、平板部６２の下面６２ｂにおいて、幅広凹部６３の一番深い位置と反対側の位置に設けられている。よって、抜け止め突起６６が取付溝５５の面５５ｂに当接すれば、幅広凹部６３は反対方向に大きく膨らむ。よって、座縁材６１及び背縁材９１を取付溝５５に挿入する際に、大きな力を要せずに、よりスムーズに挿入することができる。また、幅広凹部６３は漸次深さが深くなるように形成されているため、幅広凹部６３が弾性変形する際に幅広凹部６３に局所的に力が作用することが抑制される。
【００７１】
また、平板部６２には抜け止め突起６６の基端部６７を支持するリブ６４が設けられている。よって、抜け止め突起６６はリブ６４により補強されているため、抜け止め突起６６が座フレーム４０及び背フレーム８０の取付溝５５に挿入され弾性変形する際に、抜け止め突起６６が折れたり、損傷したりすることがない。
【００７２】
また、抜け止め突起６６は、座縁材６１の長手方向に連続するリブ６４により補強されている。よって、抜け止め突起６６が座フレーム４０及び背フレーム８０の取付溝５５に挿入され弾性変形する際に、抜け止め突起６６が折れたり、損傷したりすることより一層抑制されるとともに、リブ６４自体も折れたり、損傷したりすることがない。
【００７３】
また、取付溝５５は入口側から奥５５ｚ側に向かうにしたがって次第に溝幅が小さくなるように形成されているため、座縁材６１及び背縁材９１を取付溝５５に挿入する際には、取付溝５５を形成する面５５ｂに沿って座縁材６１及び背縁材９１を挿入すれば、座縁材６１及び背縁材９１が面５５ｂと当接して面５５ｂから力を受けて弾性変形する。よって、大きな力を伴わずに容易に、座縁材６１及び背縁材９１を取付溝５５に挿入することができる。
【００７４】
（変形例１）
上記に示す実施形態の変形例１について、主に図１３を用いて説明する。
以下の変形例において、前述した実施形態で用いた部材と同一の部材には同一の符号を付して、その説明を省略する。
図１３に示すように、本変形例では、幅広凹部６３Ａは、湾曲面６３ｃで形成されている。湾曲面６３ｃは、平板部６２の外縁側から内縁側に向かうにしたがって次第に下方に傾斜している。また、湾曲面６３ｃの外縁側の端部及び凹部幅方向側方の端部は、平板部６２の上面６２ｕに連続している。湾曲面６３ｃは、凹部幅方向の中央側に向かうにしたがってい次第に深さが深くなるように形成されている。湾曲面６３ｃにおいて、平板部６２の内縁側の辺６２ｄは凹部幅方向の中央側に向かうにしたがってい次第に深さが深くなるように、下方に凹む曲線で形成されている。湾曲面６３ｃにおいて、平板部６２の外縁側の辺６２ｅは、直線で形成されている。
【００７５】
抜け止め突起６６は、平板部６２の下面６２ｂにおいて、幅広凹部６３Ａの一番深い位置と反対側の位置に設けられている。
【００７６】
本変形例では、湾曲面６３ｃが滑らかに連続する面で形成されているため、座縁材６１Ａが取付溝５５に挿入される際には、抜け止め突起６６に作用する力により、弾性変形しやすい。
【００７７】
（変形例２）
上記に示す実施形態の変形例２について、主に図１４を用いて説明する。
図１４に示すように、本変形例では、幅広凹部６３Ｂは、凹部幅方向の中央に隣接配置された中央傾斜面６３ｄ及び中央傾斜面６３ｄの側方に配置された側方傾斜面６３ｅで形成されている。
【００７８】
中央傾斜面６３ｄは、平板部６２の外縁側から内縁側に向かうにしたがって次第に下方に傾斜している。中央傾斜面６３ｄの外縁側の端部は、平板部６２の上面６２ｕに連続している。
【００７９】
側方傾斜面６３ｅは、外縁側から内縁側に向かうにしたがって次第に下方に傾斜するとともに、中央傾斜面６３ａ側に向かうにしたがって次第に下方に傾斜している。側方傾斜面６３ｂの外縁側の端部は、平板部６２の上面６２ｕに連続している。側方傾斜面６３ｂの凹部幅方向側方の端部は、平面部６２の上面６２ｕに連続している。
【００８０】
抜け止め突起６６は、平板部６２の下面６２ｂにおいて、幅広凹部６３Ａの一番深い位置と反対側の位置に設けられている。詳細には、隣接する中央傾斜面６３ｄどうしの間には境界線６３ｆが形成され、抜け止め突起６６は平板部６２の下面６２ｂにおいて境界線６３ｆと反対側の位置に設けられている。
【００８１】
本変形例では、抜け止め突起６６は平板部６２の下面６２ｂにおいて、中央傾斜面６３ｄどうしの境界線６３ｆと反対側の位置に設けられているため、座縁材６１Ｂに取付溝５５の開口する方向に向かって力が作用しても、抜け止め突起６６は取付溝５５から外れる方向に弾性変形しにくい。
【００８２】
（変形例３）
上記に示す実施形態の変形例３について、主に図１５を用いて説明する。
図１５に示すように、幅広凹部６３Ｃは、直角面６３ｇと、湾曲隅面６３ｈと、幅広面６３ｉとで形成されている。
【００８３】
直角面６３ｇは、平板部６２の上面６２ｕから直角に屈曲している。直角面６３ｇの外縁側の端部は、平板部６２の上面６２ｕに連続している。
【００８４】
幅広面６３ｉは、平板部６２の外縁側から内縁側に向かうにしたがって次第に下方に傾斜している。また、幅広面６３ｉの外縁側の端部は、平板部６２の上面６２ｕに連続している。幅広面６３ｉは、凹部幅方向の中央側に向かうにしたがってい次第に深さが深くなるように形成されている。
【００８５】
湾曲隅面６３ｈは、直角面６３ｇの端部と幅広面６３ｉ端部とを結ぶ隅部であり、凹部幅方向側方に凹む形状をなしている。
【００８６】
本変形例では、座縁材６１Ｃが取付溝５５に挿入される際には、抜け止め突起６６に作用する力により、凹んでいた湾曲隅面６３ｈが盛り上がり、幅広面６３ｉが弾性変形しやすい。
【００８７】
（変形例４）
上記に示す実施形態の変形例４について、主に図１６を用いて説明する。
図１６に示すように、幅広凹部６３Ｄは、直角面６３ｋと、幅広面６３ｍとで形成されている。
【００８８】
直角面６３ｋは、平板部６２の上面６２ｕから直角に屈曲している。直角面６３ｋの外縁側の端部は、平板部６２の上面６２ｕに連続している。
【００８９】
幅広面６３ｍは、平板部６２の外縁側から内縁側に向かうにしたがって次第に下方に傾斜している。また、幅広面６３ｉの外縁側の端部は、平板部６２の上面６２ｕに連続している。
【００９０】
本変形例では、座縁材６１Ｂに取付溝５５の開口する方向に向かって力が作用しても、直角面６３ｋと幅広面６３ｍの交差部分（隅部）が盛り上がる方向に変形しにくいため、抜け止め突起６６が取付溝５５から外れる方向に弾性変形することが大きく抑制される。
【００９１】
また、上述した実施の形態において示した各構成部材の諸形状や組み合わせ等は一例であって、本発明の主旨から逸脱しない範囲において設計要求等に基づき種々変更可能である。
【００９２】
例えば、上記に示す実施形態では、取付溝５５はテーパー状に形成されているが、本発明はこれに限られない。テーパー状に形成されている方が、縁材を挿入溝部内に挿入しやすいが、テーパー状に形成されていなくてもよい。
【００９３】
また、上記に示す実施形態では、抜け止め突起６６は、平板部６２の中央傾斜面６３ａの反対側に設けられているが、本発明はこれに限られない。側方傾斜面６３ｂの反対側に設けられていてもよい。
【００９４】
また、上記に示す実施形態では、抜け止め突起６６を支持し、座縁材６１の長手方向に連続するリブ６４が設けられているが、本発明はこれに限られない。リブは、抜け止め突起６６の基端部６７近傍を支持する柱条やブロック状の突起であってもよい。あるいは、リブが設けられていなくてもよい。
【００９５】
また、上記に示す椅子の他、スクリーンパネルや衣類等を掛けるロープ等の荷重を受ける張材を有する部材にも適用可能である。
【符号の説明】
【００９６】
１…脚部  １１…多岐脚  １１ａ…キャスター  １２…脚柱  １３…外筒  １４…内筒  ２…支基  ３…座受け部材  ４…座体  ４０…座フレーム（保持部材）  ４１…座下枠  ４２…第一座補強杆  ４３…第二座補強杆  ４６…下向き穴  ４７…溝凹部（係合部）  ５０…座上枠  ５１…縦杆  ５２…横杆  ５３…補強板部  ５５…取付溝（挿入溝部）  ５５ａ…入り口  ５５ｚ…奥  ６０…座部張設部材  ６１…座縁材（縁材）  ６２…平板部（基部）  ６３…幅広凹部（凹部）  ６４…リブ（補強部）  ６６…抜け止め突起（突出部）  ６７…基端部（基端）  ６８…突起部  ７１…座張材（張材）  ８…背凭れ  ８０…背フレーム（保持部材）  ８１…背後枠  ８２…下辺部  ８３…側辺部  ８４…上辺部  ８６…背前枠  ８７…縦杆  ８８…横杆  ８９…肘掛け  ９０…背部張設部材  ９１…背縁材（縁材）  ９６…背張材（張材）  １００…椅子
【図１】
2018153485.tif 000003
【図２】
2018153485.tif 000004
【図３】
2018153485.tif 000005
【図４】
2018153485.tif 000006
【図５】
2018153485.tif 000007
【図６】
2018153485.tif 000008
【図７】
2018153485.tif 000009
【図８】
2018153485.tif 000010
【図９】
2018153485.tif 000011
【図１０】
2018153485.tif 000012
【図１１】
2018153485.tif 000013
【図１２】
2018153485.tif 000014
【図１３】
2018153485.tif 000015
【図１４】
2018153485.tif 000016
【図１５】
2018153485.tif 000017
【図１６】
2018153485.tif 000018
【図１７】
2018153485.tif 000019